Podtech/llm-jp-corpus-v4-ja_patent huggingface dataset:
(57)【要約】【課題】  調理中まな板作業面及びまな板廻りに溜まる水、汁等の解消。【解決手段】  まな板上面に傾斜面を形成し、傾斜下方位置適所に傾斜溝を設けることによりこの課題を解決する。【選択図】  図１
0003116963.tif 000002
【実用新案登録請求の範囲】
【請求項１】
まな板上面に傾斜面を形成し、傾斜下方行位置に水捌け用の傾斜溝が設けられていることを特徴とする水捌けのよいまな板。
【請求項２】
まな板上面は高低１０ｍｍある傾斜面とし、且つ溝の位置は長手方向側端部近傍深さ５ｍｍより端部深さ１０ｍｍまでの傾斜とし、更に溝幅は１０ｍｍある請求項１に記載のまな板。
尚、溝方向が右より左端に向かって傾斜している物は左シンク用、左より右端に向かって傾斜している物は右シンク用まな板とする。
【考案の詳細な説明】
【技術分野】
【０００１】  本考案は、まな板上面の水捌けをよくしたまな板に関する。
【背景技術】
【０００２】  従来より使用されているまな板は木製、プラスチック、合成樹脂製などで作られていた長方形板体のものが一般的である。
【考案の開示】
【考案が解決しようとする課題】
【０００３】  しかしながら一般のまな板は平行状であるため水洗いした後の野菜、汁けの多いくだもの等、食材を切り分ける時に水捌けがよくなくまな板上或いはまな板廻りに水がたまり何度も拭きとらなければならず作業効率の悪化を招くという問題があった。本考案は従来のまな板に関わる課題を解決するために考案したもので、板上面の水捌けをよくするよう配慮した形状のまな板を提供するものである。
【課題を解決するための手段】
【０００４】  課題を解決する手段として本考案はまな板上面に１０ｍｍ程の傾斜面、及び傾斜下方位置に５ｍｍ〜１０ｍｍの傾斜溝を設けて構成した水捌けのよいまな板である。
【考案の効果】
【０００５】  よって本考案の水捌けの良いまな板により、作業面の傾斜で水や汁等が下方向へと流れ傾斜下方位置にある傾斜溝により調理台が水浸しになるようなことがなくスムーズにシンクの方へと排除する事ができる。
【考案を実施するための最良の形態】
【０００６】  以下、本考案の実施をするための最良の形態について説明する。図１は本考案の実施例である。図において１は長方形板体によるまな板本体、２は傾斜面、３は傾斜溝である。傾斜面はＡ位置高さ３０ｍｍからＢ位置高さ２０ｍｍに向かって下降する傾斜である。図２は３の傾斜溝で幅１０ｍｍ、Ｃ位置深さ５ｍｍよりＣ’位置深さ１０ｍｍに向かって傾斜した溝である。従ってまな板上の水はＡ位置よりＢ位置に向かって移動し３の傾斜溝に流れＣ’の方向へと流れ去ることとなる。以上本考案はまな板上の水が傾斜面に沿って移動し傾斜溝によってシンクの方向へと流れ去るため水捌けがよく快適に使用することができる。【０００７】  図１は左シンク用まな板であり傾斜溝が右より左端に向かって傾斜している。図４は右シンク用まな板で図１と逆方向、左より右端に向かって傾斜溝を設けたものである。
【図面の簡単な説明】
【０００８】
【図１】本考案の実施例斜視図である。
【図２】図１のＣ−Ｃ’における断面図である。
【図３】図１の４における側面図である。
【図４】図１と逆方向に傾斜溝を設けたまな板の斜視図である。
【符号の説明】
【０００９】  １  まな板本体
２  傾斜面
３  傾斜溝
４  側面
【図１】
0003116963.tif 000003
【図２】
0003116963.tif 000004
【図３】
0003116963.tif 000005
【図４】
0003116963.tif 000006
【手続補正書】
【提出日】平成17年7月6日(2005.7.6)
【手続補正１】
【補正対象書類名】実用新案登録請求の範囲
【補正対象項目名】全文
【補正方法】変更
【補正の内容】
【実用新案登録請求の範囲】
【請求項１】
まな板上面に傾斜面を形成し、傾斜下方向位置に水捌け用の傾斜溝が設けられていることを特徴とする水捌けのよいまな板。
【請求項２】
まな板上面は高低１０ｍｍある傾斜面とし、且つ溝の位置は長手方向側端部近傍深さ５ｍｍより端部深さ１０ｍｍまでの傾斜とし、更に溝幅は１０ｍｍあり、溝方向が右より左端に向かって傾斜している物は左シンク用、左より右端に向かって傾斜している物は右シンク用まな板とすることを特徴とする請求項１に記載のまな板。
(57)【要約】      （修正有）【課題】稲の幼苗をジャンボタニシの食害から防ぐため労を要せずジャンボタニシを誘引捕獲、駆除する道具。【解決手段】容器の側面に入り口を設け、中に野菜の残り物を置きジャンボタニシの食性を利用し、誘引捕獲、駆除する道具である。【選択図】図１
0003116983.tif 000002
【実用新案登録請求の範囲】
【請求項１】
容器の側面に開口部が少なくとも１つ以上設けられている誘引捕獲器
【請求項２】
容器は持ち歩きが容易に出来るように、取っ手が設けられている誘引捕獲器。
【考案の詳細な説明】
【技術分野】
【０００１】近年ジャンボタニシの異常増殖により、田植え後の稲の幼苗がジャンボタニシの食害により成長不足、欠株など甚大な被害を受け、米の収量低減を招いている。
【背景技術】
【０００２】本考案は、田植え後の稲の幼苗をジャンボタニシの食害から守るための誘引捕獲器である。
【考案の開示】
【考案が解決しようとする課題】
【０００３】ジャンボタニシは、１９８３年有害動物に指定されているが抜本的駆除方法は無く、田に入り手で１つ１つ手取りする。
餌をばらまき、稲から遠ざける。
石灰窒素や、キタジンＰ、の農薬、で駆除する。
水深を浅くしジャンボタニシの動きを鈍化させる。
トラックターなどで耕運をこまめにし、ジャンボタニシを殺傷するなどがあるが、労力、効果の面で抜本的方法とは言えない。【０００４】手取りは、時間と人手がかかり重労働となる。【０００５】餌をばらまき稲から遠ざける方法は、ジャンボタニシの繁殖を促してしまう。【０００６】農薬による駆除は、効果が薄く、また用水路の小魚などや生き物。
田圃や農家の益となるオタマジャクシや微生物にも被害を与えてしまう。【０００７】耕運に寄る殺傷は、田植え前しかできず田植え後は出来ない。
【考案の効果】
【０００８】本考案により今まで駆除が困難であった水田のジャンボタニシを労を要せず、また有益な生き物を死滅させることなく、簡単に駆除できる。
【考案を実施するための最良の形態】
【０００９】ジャンボタニシの食性を利用し、入り口をもうけた、捕獲カゴの中にジャンボタニシの好物の野菜残菜を入れ、田の中に置くことにより誘引捕獲、駆除できる。
【実施例】
【００１０】捕獲カゴを作成し、野菜残菜を入れ田の中においていたところ一昼夜で１３匹のタニシを捕ることが出来た。【００１１】捕獲カゴを１０アール当たり５個置いておいていたところ、一昼夜で５２匹のジャンボタニシを捕ることが出来た。【００１２】一週間で３１１匹のジャンボタニシを捕ることが出来た。
【図面の簡単な説明】
【００１３】カゴ（約５リットル）入りの４側面にジャンボタニシの入り口（５センチ×１８センチ）を作り  カゴの中央に野菜の残り物を置く。【００１４】カゴは持ち運びがしやすいように取っ手付きとする。【図１】捕獲カゴの写真である。
【図２】野菜くずを入れた状態の写真である。
【符号の説明】
１  カゴ本体
２  カゴの取っ手
３  ジャンボタニシの入り口
４  野菜くず
【図１】
0003116983.tif 000003
【図２】
0003116983.tif 000004
(57)【要約】      （修正有）【課題】男性特有の仮性包茎の悩みを１時的に解消をしたいという課題を解決する為のものである。【解決手段】伸縮性に富んだゴム又ゴム状の材料を有効に使用することにある。中心にある台形状のゴムの筒状輪の底部外周部にゴムベルトを通し、太もも、臀部、にまで回わすことで固定化させて性器の表皮を常に剥けた状態にし完全な非包茎化状態を維持する。【選択図】図１
0003116976.tif 000002
【実用新案登録請求の範囲】
【請求項１】
柔らかいゴム材料を用いた円錐形の上部をカットした台形状の筒状物でゴム肉厚は上部が薄く下部が厚く男性器の根元部に被せる物である。
【請求項２】
男性器の根元部に被せた筒状物の底部外周に１本物のベルト通しを着ける。ベルトと請求項１の筒状物と接続する事により臀部に引き上げられたベルトにより表皮全体が根元まで完全に剥けた状態になる。
【請求項３】
動体でのズリ落ち防止と常に後方に引き寄せ固定の為ベルト同士の接続の為布チャックを２ケ所に設け非仮性包茎状態を維持持続させる。
【請求項４】
本考案はゴムサック使用時にも活用する為に、請求項１のゴム台形筒状物の底部に厚みを設けゴムサックの底部を押さえる役目をする事により常に非包茎状態の維持が出来て不快感からの開放を可能にさせる。
【請求項５】
請求項１のゴムの筒状物の内面に表皮の移動防止の為にイボ状の突起物をランダムに設けて請求項１の本体と密着させる。
【考案の詳細な説明】
【技術分野】
【０００１】本考案は男性特有の性的悩みの１つである、仮性包茎を医学的処置を用いることなく一時的に非仮性包茎に保つ為の技術分野である。
【背景技術】
【０００２】背景技術として従来より研究されているものは、仮性包茎の矯正用であるが本考案は性交時等に一時的にな非包茎化させる技術である。しかも安全、安価、簡便なものであることが背景技術にある。技術的にも極めて簡便であり性器、臀部周り全体を利用する技術である。
【考案の開示】
【考案が解決しようとする課題】
【０００３】本考案は男性特有の悩みの仮性包茎を性交時等において一時的に非仮性包茎化させる為のもので特に性交時に装着使用することを目的とする。
装着する事により包茎状態が非包茎状態になる、しかも装着時と非装着時の比較において生理的に性器は太さ、硬さにおいて格段の差がつく。本考案は仮性包茎による男女共通の性的悩みの課題を解決する為のものである。
【課題を解決するための手段】
【０００４】本考案はゴム又はゴム状の伸縮性に富んだ柔らかい材料を使用する。
ゴム状の材料を使用し円錐形の上部をカットした形状のゴム筒状輪の下部周囲に１本物のゴムベルトを通す為のベルト留めに通し装着する。
この装置が課題を解決する手段となる。
【考案の効果】
【０００５】本考案の効果は特に男性の悩みである仮性包茎を性交時に１時的に非包茎状態に保つことにある。その効果は装着した時に男性器は通常の３０％程度太さが増し、硬さにおいてもより一層増す。
従って最終効果として男女共に性生活がより一層充実する。
又スキンを装着した場合でも使用出来、快適さを享受出来るのも効果である。
【考案を実施するための最良の形態】
【０００６】本考案の実施にあたり最良の形態は装着時に円錐形の上部をカットしたゴム筒状輪に性器を通す時に、あらかじめ表皮を根元下部に引き寄せておきそれに被せるのが最良の形態である。その状態を保持するためにゴムベルトを臀部にまで回わし引き寄せ状態を維持出来る。
【実施例】
【０００７】図１より本考案の全体図とする。中心の台形状のゴム筒状輪１に男性器を通す、次に両側のゴムベルト２には両の太ももを入れる。
１の底部には２のベルトを留めるベルト留め４にベルトを通し、布チャック３で２の両端をつなぎベルトを両の臀部にまで伸ばして両方のベルトをつなぎ留め５で両側のベルトをつなぎ固定させる。
その結果として包茎状のものが非包茎状態になる。
【産業上の利用可能性】
【０００８】本考案は産業上の利用可能性としては直接的にはない。
間接的には働く人の性生活の向上に役立つ可能性としてはあると推測する。
【図面の簡単な説明】
【０００９】
【図１】図１は本考案の全体図である。符号１は男性器を通すゴム又はゴム状の台形状の筒状輪である、符号２は１本物のゴムベルトで１の筒状輪の底部周辺に巻いてベルト留め４に通し１とつなぐ、符号３は２の両端をつなぐ為の布チャックである。符号５は２のベルトを臀部に回したあと左右をつなぐ、つなぎ留めである。
【符号の説明】
【００１０】符号１  ゴムの台形状の筒状輪。
符号２  １とつなぎ、太ももと臀部に回すゴムベルト。
符号３  ２のベルト両端をつなぐ布状チャック。
符号４  １の台形のゴム筒状輪の底部外周部のベルト留め。
符号５  ２のバンドを両臀部に巻き、左右両端をつなぐ布チャック。
【図１】
0003116976.tif 000003
【手続補正書】
【提出日】平成17年9月1日(2005.9.1)
【手続補正１】
【補正対象書類名】実用新案登録請求の範囲
【補正対象項目名】全文
【補正方法】変更
【補正の内容】
【実用新案登録請求の範囲】
【請求項１】
ゴム材料を用いた円錐形の上部をカットした先細り形の筒で、上部の肉厚は前記円錐形の下部と比較して薄した男性器の根元部に被せる用具。
【請求項２】
男性器の根元部に被せた筒状物の底部外周に１本物のベルト通しを付けた請求項１記載の用具。
【請求項３】
布チャックを２ケ所に設けた請求項１又は２記載の用具。
【請求項４】
前記筒状物の底部に厚みを設けゴムサックの底部を押さえるようにした請求項１〜３いずれか記載の用具。
【請求項５】
前記筒状物の内面にイボ状の突起物をランダムに設けて請求項１の用具と密着させる、請求項１〜４いずれか記載の用具。
(57)【要約】      （修正有）【課題】本考案は、作業者が地上にいながら、任意形状柔軟切削具を高木の高所まで挙げ、ロープで任意形状柔軟切削具を操作し、安全且つ効率的な作業を可能にするロ−プ鋸を提供する。【解決手段】ロ−プ（１）（２）を設け、中間部に任意形状柔軟切削具（３）を設ける。ロ−プ（１）の端に紐（４）を設け、紐（４）の先端に重り（５）を設ける。重り（５）を切断する枝や末留めの箇所まで竹竿等で挙げるか、投げ挙げるかして、重り（５）につけた紐（４）を手元に手繰り寄せ、紐（４）に連結しているロ−プ（１）を引いて任意形状柔軟切削具（３）を切断したい枝や末留めしたい箇所まで引き上げる。そして、両手でロ−プ（１）（２）を交互に引いて枝を切り、末留めをする。【選択図】図１
0003116974.tif 000002
【実用新案登録請求の範囲】
【請求項１】
（イ），ロ−プ（１）（２）を設け、中間部に任意形状柔軟切削具（３）を設ける。
（ロ），ロ−プ（１）の端に紐（４）を設け、紐（４）の先端に重り（５）を設ける。
以上のごとく構成されたロ−プ鋸。
【考案の詳細な説明】
【考案の詳細な説明】
【産業上の利用分野】
【０００１】  この考案は、高木の高所の枝切りや末留めに用いるロ−プ鋸に関するものである。
【背景技術】
【０００２】  従来、高木の高所の枝払いや高木の末留めを行なう場合に、人が切削具を持って木に登るか、切削具を持った人を機械で高木の高所まで運び上げる必要があった。
【考案が解決しようとする課題】
【０００３】  これには次のような欠点があった。人が切削具を持って高木の高所に登ることは大変危険であり、簡単なことではない。また、切削具を持った人を機械で高木の高所まで運び挙げるには手間もコストもかかる。本考案は、簡便な方法でこれらの欠点を除くためになされたものである。
【課題を解決するための手段】
【０００４】  ロ−プ（１）（２）の中間部に任意形状柔軟切削具（３）を設け、ロ−プ（１）端に紐（４）を設け、紐（４）の先端に重り（５）を設ける。以上の構成よりなるロ−プ鋸。
【作用】
【０００５】  重り（５）を切断する枝や末留めの箇所まで竹竿等で挙げるか、投げ挙げるかして、重り（５）につけた紐（４）を手元に手繰り寄せ、紐（４）に連結しているロ−プ（１）を引いて任意形状柔軟切削具（３）を切断したい枝や末留めしたい箇所まで引き上げる。そして、両手でロ−プ（１）（２）を交互に引いて枝を切り、末留めをする。
【実施例】
【０００６】  以下、本考案の実施例について説明する。
イ、ロ−プ（１）（２）中間部に任意形状柔軟切削具〔自転車チェ−ン状連結具ごとに鋸刃状金属片を設けた物、鋸刃一葉づつをボルトで繋ぎチェ−ン状にした物、ワイヤ−に鋸刃状金属片を縒り込んだ物、ワイヤ−に工業用ダイヤモンドを塗布した物等〕（３）を設ける。
ロ、ロ−プ（１）の端に紐（４）を設け、紐（４）の先端に重り（５）を設ける。
本考案は、以上のような構造でこれを使用するときは、切断したい高木の高所の枝や末留めの箇所まで重り（５）を竹竿等で挙げるか、投げ挙げるかして、重り（５）につけた紐（４）を手元に手繰り寄せ、紐（４）に連結しているロ−プ（１）を引いて任意形状柔軟切削具（３）を切断したい枝や末留めしたい箇所まで引き上げる。そして、両手でロ−プ（１）（２）を交互に引いて枝を切り、末留めをする。
【考案の効果】
【０００７】  本校案は、作業者が地上にいながら高木の高所の枝払いや高木の末留めができる、安全で且つ効率のいい作業が可能なロープ鋸を提供する。
【図面の簡単な説明】
【図１】  本考案の平面図である。
【図２】  任意形状柔軟切削具の１例、「鋸刃一葉づつをボルトで繋ぎチェ−ン状にした物」の平面図である。
【符号の説明】
１、  ロ−プ
２、  ロ−プ
３、  任意形状柔軟切削具
４、  紐
５、  重り
６、  鋸刃一葉
７、  ボルト
【図１】
0003116974.tif 000003
【図２】
0003116974.tif 000004
(57)【要約】      （修正有）【課題】縦揺れと横揺れのベクトルが合成された揺れの発生を１箇所の調節機能で感度を変化させて検出可能とする。【解決手段】天板２と台板１３の間隔を支持棒３で任意に設定し、天板２に回転可能な導電性ボルト１を取り付け、該ボルトに導電性バネ８と導電性重り９をぶら下げる。台板１３には、重り９が中心に来るように金属製の円錐コーン１１を配置する。重り９と円錐コーン１１の接触を電気的に知る為、ボルト１に接触する接触子４と円錐コーン１１には、銅線７と１２を接続しておく。【選択図】図１
0003116978.tif 000002
【実用新案登録請求の範囲】
【請求項１】
水平方向と垂直方向のベクトルが任意に合成された揺れの検出を、バネにつながれた一つの重りと、該重りを囲む一つの金属円錐コーンで構成した揺れ検出装置
【請求項２】
水平方向と垂直方向のベクトルが任意に合成された揺れの検出感度を一つのボルトを左右に回転させることにより可能にした揺れ検出装置
【考案の詳細な説明】
【技術分野】地震等の揺れの発生を簡易に検出するための、家庭用防災装置
［背景技術］【０１】灯油ストーブに広く内蔵されている検出感度固定の任意の重りを利用した揺れ耐震装置。これらは、一般的に２軸自由の重りにレバーを付け、揺れ発生時に別に設けられたラッチェットを開放し消化機能を達成している。【０２】地震計のバネ式垂直方向検出装置。
［考案の開示］
［考案が解決しようとする課題］
自然界の揺れは、縦揺れと横揺れのベクトルが合成されたものと考えるのが妥当である。この揺れの発生を、一組の構造体で全方向に渡り簡易に検出しようとした装置が本考案である。
［課題を解決するための手段］【０１】図１に本考案の構成図を示す。天板２にネジ付きの導電性ボルト１を通し、ボルトは回転し、その先端を上下することが可能としておく。ボルト１の先端には、導電性のフック６が取り付けられており、このフックに導電性の引っ張りバネ８を接続する。更にこのバネ８の下端には、慣性質量ｍを持つ円柱形状を持つ導電性の重り９を導電性のフック１０でぶら下げる。天板２と台板１３の間隔は、支持棒３で固定されている。重り９は、金属板で作成された円錐コーン１１の内側に、両者が接触しない距離に、ボルト１を回して配置する。ボルト１には、金属板で作成された接触子４が接触する。この接触子４は、ビス５で天板２の下面に固定されている。接触子４と金属の円錐コーン１１には、銅線７と銅線１２が接続されている。【０２】図２は、円錐コーン１１と重り９との位置関係を示した斜視図である。重り９と円錐コーン１１の垂直方向の中心軸は一致しているものとする。この時、静止状態での円錐コーン１１と重り９との距離は、重り９の底面エッジの任意の点を基点に、水平方向に１４、垂直方向に１５である。これは、重り９に働く重力加速度ｍｇとバネ８の応力が釣り合った状態を示す。【０３】図３は、本揺れ検出装置に水平方向距離１６、垂直方向距離１７の揺れが加わった例を示している。重り９は慣性質量ｍを持ち重力加速度ｍｇでバネ８の応力と釣り合っている。従って、揺れ１６，１７が発生した直後の短い時間を観察すれば、重り９のみがバネ８の応力限界まで元の位置に留まろうとする。バネ８の両端とフック６，１０の接続に摩擦が無く、バネ８自体の応力特性が理想的なものとすれば、揺れの距離１６，１７は負の値を持って、静止状態での距離１４，１５にそのまま加わる。もし、揺れで発生した移動距離１６，１７が静止状態での距離１４，１５より大きければ、重り９は、円錐コーン１１に接触することになる。これを重り９の重心を起点にした座標系で見ると、重り９の重心が、揺れで発生した移動距離１６，１７と大きさが等しく符号が反対の距離１９，１８で動いたと見ることができる。この状態を図４に示している。【０４】重り９、バネ８、フック６，フック１０、ボルト１、接触子４及び円錐コーン１１は、金属で作成されており、接触子４と円錐コーン１１には、導電を目的とした銅線７、１２を接続して外部に引き出している。この引き出した銅線７，１２は、図５で示した回路に接続される。図５の回路の構成は、任意の電圧を持つ電池２０に端子２１，２２を開閉器としたランプ２３の点滅を目的とした例である。端子２１，２２には、揺れ検出装置から引き出された銅線７，１２が接続されるので、図４で示したように、重り９と円錐コーン１１が接触すると端子２１，２２は閉路になり、ランプ２３が点灯することになり、揺れの発生を知ることが可能となる。【０５】本考案の揺れ検出装置の静止状態での重り９と円錐コーン１１の距離は、ボルト１を左右に回転させることで変更可能である。該距離は、円錐コーンの内壁面に対して水平方向１４と垂直方向１５の値が同時に変化するので、両方向の成分を含む揺れに対する検出感度を一度に調節することが可能である。
［考案の効果］
本考案の揺れ検出装置を使えば、縦揺れと横揺れのベクトルが合成された揺れの発生を一つのボルトで感度を調節しながら簡易に検出可能である。
［考案を実施するための最良の形態］
図１で示した装置
【図面の簡単な説明】［図１］  本考案の構成図である。
［図２］  重りと円錐コーンの位置関係を示した斜視図である。
［図３］  揺れが発生した直後の動作図である。
［図４］  揺れが発生した直後の重りと円錐コーンの位置関係を示した説明図である。
［図５］  本考案の装置から得られた揺れの発生をランプの点滅情報として得ようとした説明図である。
【符号の説明】
１  導電性の感度調節用ボルト
２  天板
３  支持棒
４  金属の接触子
５  接触子固定ビス
６  ボルト１に固定された導電性のフック
７  接触子４から引き出された銅線
８  導電性の引っ張りバネ
９  導電性の重り
１０  重り９に固定された導電性のフック
１１  金属製円錐コーン
１２  円錐コーン１１に接続された銅線
１３  台板
１４  本装置の静止状態での重り９と円錐コーン１１との水平距離
１５  本装置の静止状態での重り９と円錐コーン１１との垂直距離
１６  本装置に揺れが加わった場合の、本装置の水平移動距離
１７  本装置に揺れが加わった場合の、本装置の垂直移動距離
１８  本装置に揺れが加わった場合の、重りの見かけ上の水平移動距離
１９  本装置に揺れが加わった場合の、重りの見かけ上の垂直移動距離
２０  電池
２１  電池側の接続端子
２２  ランプ側の接続端子
２３  ランプ
【図１】
0003116978.tif 000003
【図２】
0003116978.tif 000004
【図３】
0003116978.tif 000005
【図４】
0003116978.tif 000006
【図５】
0003116978.tif 000007
【手続補正書】
【提出日】平成17年8月29日(2005.8.29)
【手続補正１】
【補正対象書類名】実用新案登録請求の範囲
【補正対象項目名】全文
【補正方法】変更
【補正の内容】
【実用新案登録請求の範囲】
【請求項１】
水平方向と垂直方向のベクトルが任意に合成された揺れの検出を、バネにつながれた一つの重りと、該重りを囲む一つの金属円錐コーンで構成した揺れ検出装置
【請求項２】
水平方向と垂直方向のベクトルが任意に合成された揺れの検出感度を一つのボルトを左右に回転させることにより可能にした請求項１記載の揺れ検出装置
(57)【要約】      （修正有）【課題】左手の押さえ方による音階、コード、右手の指の動かし方による音の強弱、さらには音の長さを同時に容易に認識することを可能にする新しい表記形態の採用により、ギター演奏者、あるいは練習者に最適な楽譜を提供する。【解決手段】五線譜の音符や、ＴＡＢ譜の記号のかわりに運指の連続コマ写真やイラストレーションを使用して表記することにより、演奏者は容易に演奏を習得することができる。また、コマ写真やイラストレーションでの表記は、著名な演奏家の演奏法や特殊な演奏テクニックの表現も可能にすることができる。【選択図】図１
0003116971.tif 000002
【実用新案登録請求の範囲】
【請求項１】
五線譜を用いず、演奏者が左手部分の弦の押さえ方および右手の弾き方を、音の推移にともなって撮影した連続写真またはイラストレーションにより表示するとともに、押さえるフレットの位置および押さえる弦の場所を数字で表示し、あわせてコード進行もコード記号で示し、且つ音の長さおよび音の連続を音符で表示した、演奏者が演奏法をきわめて容易に理解できるよう開発された表記方法を用いていることを特徴とするフレット付弦楽器演奏用楽譜。
【考案の詳細な説明】
【技術分野】
【０００１】この考案はフレット付弦楽器演奏用楽譜に関する。
【背景技術】
【０００２】フレット付弦楽器演奏用楽譜としては、五線譜表上に音符を記した通常の楽譜に、各音符に対応したコード記号を付記したもの、あるいはコード記号とともに左手で押さえるフレットならびに弦の位置を図示したもの、あるいはＴＡＢ譜と呼ばれる６本の弦を表した線上に数字で押さえるフレットを記したものが用いられている。
【考案が解決しようとする課題】
【０００３】従来のフレット付弦楽器演奏用楽譜では、演奏者はコード記号に対応するコードの弦の押さえ方を覚え、かつ音符、付記された数字を読み取って演奏しなければならず、記号を運指に置き換える作業に時間を要し、連続した演奏をイメージでつかむことがむずかしい。また、特殊な演奏方法を表記することはできない。
【０００４】そこで本考案は、フレット付弦楽器演奏用楽譜が初めて楽譜として触れる曲やフレーズでも効果的にそれを覚え演奏できるような、かつ特徴的な演奏方法まで習得できるような楽譜を提供しようとするものである。
【課題を解決するための手段】
【０００５】本考案は、左手の押さえ方による音階、コード、右手の指の動かし方による音の強弱、さらには音の長さを同時に容易に認識することを可能にする新しい表記形態の採用により、ギター演奏者、あるいは練習者に最適な楽譜を提供する。
【０００６】上記目的を達成する手段として、まず、指の押さえ方、押さえる場所、弾き方、弾く指の動きをそれぞれ一コマずつ撮影した写真またはイラストレーションを休符表示とともに連続表示して従来の五線譜のように記す。さらに上下に、コード、押さえるフレット、押さえる弦、音の長さを付帯補足情報として、音符、記号ないしは番号にて表記する。
【実施例】
【０００７】この考案の実施例としてのギター演奏用楽譜が図１に示されている。まず、書き方としては従来の楽譜のように、横書きで左から右へ進行し、上から下へ進行する。しかし従来の楽譜のような五線譜は用いず、代わりに左手指での弦の押さえ方、押さえる位置を一コマずつ撮影した写真またはイラストレーションにより表示してある。【０００８】したがって、従来の楽譜では音符がならんでいる表記がなされている部分に、連続コマ写真またはイラストレーション１が用いられ、これによって演奏者は自分の演奏と瞬時に比較することができ、メロディーを、イメージとしてより円滑に習得することができる。【０００９】この連続写真のすぐ上には、押さえる弦の位置２すなわち何本目の弦であるかを数字で表記している。また、そのさらに上に押さえるフレットの位置３も数字で表記してある。【００１０】連続写真上方、弦番号、フレット番号の表記の更に上方に、ギター演奏時に必要な奏法の記号４を付記している（チョーキング、プリング、スライド等の表示）。さらにその上方にコード記号１０を付記し、コードの表示をしている【００１１】連続写真部分のなかに、従来の楽譜で用いられている休符の代替として、「休」の文字と長さを表す数字の組み合わせ７（音符の長さと同じ）で、演奏しない部分を表している。また、フレーズ・リピート（繰り返し）マーク８を付記し繰り返し演奏を表示している。【００１２】連続写真部分の下には、従来の音符表記９を用いて音の長さ、音の連続を表記している。またスタッカート記号１１を付記し、スタッカートの表示をした。【００１３】さらにフレットの位置表示の上にタイ記号５、および連続コマ写真と同列の位置にタイの表示６を併記し、タイを表した。【００１４】連続コマ写真での左手および右手の使い方の表記に、コード記号、数字による弦の位置およびフレットの位置の表記、音符による音の長さ、繰り返しやタイ、スタッカートや奏法表記をわかりやすい記号で併記することにより、演奏に必要な情報は網羅され、さらに特徴的な演奏方法も、違う写真またはイラストレーションを比較掲載表示することによって、習得することが可能になる。
【考案の効果】
【００１５】以上に説明したように、本考案のフレット付弦楽器演奏用楽譜により、これまでとは比較にならないほど初級演奏者が容易に曲やフレーズを理解し、なおかつ容易に演奏の練習をすることができる。また、中級以上の演奏者においても、従来の表記方法では表しようがなかった特徴的な演奏方法や、著名演奏者固有の演奏方法を、本考案の楽譜により知り得、かつ自分で演奏することができる。
【図面の簡単な説明】
【００１６】
【図１】本考案の一実施例であるギター演奏楽譜で、左手の運指を表したページを示す図である
【図２】本考案の一実施例であるギター演奏楽譜で、左手の運指と右手での弾き方を表したページを示す図である
【符号の説明】
【００１７】（図１）
１    左手の連続コマ写真またはイラストレーション
２    押さえる弦の位置の番号
３    押さえるフレットの位置の番号
４    奏法（チョーキング、プリング等）
５    タイの記号
６    タイの表示
７    休止の記号
８    フレーズ・リピート（繰り返し）マーク
９    音符
１０  コード記号
１１  スタッカートの記号
１２  右手の連続コマ写真またはイラストレーション
【図１】
0003116971.tif 000003
【図２】
0003116971.tif 000004
【手続補正書】
【提出日】平成17年8月29日(2005.8.29)
【手続補正１】
【補正対象書類名】実用新案登録請求の範囲
【補正対象項目名】請求項１
【補正方法】変更
【補正の内容】
【請求項１】
五線譜を用いず、演奏者が左手部分の弦の押さえ方および右手の弾き方を、音の推移にともなって撮影した連続写真またはイラストレーションにより表示するとともに、押さえるフレットの位置および押さえる弦の場所を数字で表示し、あわせてコード進行もコード記号で示し、且つ音の長さおよび音の連続を音符で表示した、演奏者が演奏法をきわめて容易に理解できるよう開発された表記方法を用いていることを特徴とする、紙に印刷されたフレット付弦楽器演奏用楽譜。
(57)【要約】【課題】  災害、事故、誘拐、痴漢、老人の俳かい等偶発的な事態に直面したとき、だれでも素早く、確実に、大きな救助信号を作り出すことが出来る携帯用の器具を提供する。【解決手段】  警報を発する回線を電気式と人が吹くホイッスルの二系統備え、被災直後に大きな救助信号を出すことができる、ＬＥＤライト付きの携帯用の警報器を提供する。【選択図】    図１
0003116975.tif 000002
【実用新案登録請求の範囲】
【請求項１】
電源による小形携帯用ＬＥＤライト、警報装置、発信装置を備えた本体に取り外し式のホイッスルが組み込まれた一体型の携帯用警報器具。
【請求項２】
電機作動部分には防水機能が施されている。
【考案の詳細な説明】
【考案の詳細な説明】
【技術分野】
【０００１】本考案は携帯用警報装置に関する。
【背景技術】
【０００２】従来のペンタイプは警報装置またはホイッスルの何れか一方を備えている。
またライトと笛の両方を備えた物は懐中電灯に笛を取り付けた常時携帯には不向きな大きさと重量と成っている。
【考案が解決しようとする課題】
【０００３】災害に遭遇した直後、救助を求める為、警報を発する方法としてホイッスルがある。  しかし笛を吹くという行動には健丈な体力を必要とする。
災害現場に遭遇した環境は建物やエレベーターに閉じ込められた状況であるとか、大小の怪我を負っている場合が予想される。
このことは  １  笛を吹く体力が無い。    ２  警報の音量が足りない。
３  電池切れで警報が出せない。  等の課題を有する。
【課題が解決するための手段】
【０００４】電池式の警報と口で吹くホイッスルを併用する。
初動では電源とホイッスルの両方の大きな警報で救助を求め続ける。
ホイッスルを使う体力がない場合電動の警報のみを発信する。
電池が切れてもホイッスルだけは使用可能であり救助用の警報は続行できる。
夜又は暗やみの場合本器からＬＥＤのビーム光線の光源が得られる。
本器にＧＰＳの端末チップを埋め込んでおけば、現場位置が特定できる。
【考案を実施するための最良の形態】
【０００５】サイズはボタン電池数個を内蔵したタイプの場合、万年筆の半分位のコンパクトなもので、女性のハンドバックに、フック（１）を使って男性の背広のポケットにまたヒモ通し穴（２）にヒモを通し子供や老人の首からぶら下げて常時携行できる。
ポケットにひかけるフックとひもを通すループが同一パーツであり、本体との接続部がスイッチ（３）となっている。この為フック、ループの係留部分が変化することでスイッチが作動する。
フックスイッチがＯＮになると、内蔵ボタン電池を電源として、警報発信部（５）からアラーム音が鳴り出す。
もし、エレベーター内に閉じ込められて、音量が足りない場合はこの警報に重ねてホイッスル（９）を吹き音量を増やして救助を求め現場を教える。
周囲環境が暗やみで有れば、ＬＥＤのスポットビーム（７）で周囲の状況を判断出来る。
生憎救助が遅れた場合ホイッスルを吹いて警報を出し続けることが出来る。
本器にＧＰＳ端末を内蔵した場合は現在地を発信することが出きる。
【考案の効果】
【０００６】  初動救助だけに目的を集約した器具なので、極めて軽量で小さい。依ってだれでも何時も身に付けていることが可能である。  外見のデザインも工業デザインとして美しくアクセサリーとしての価値も有する。
警報器を携行する目的は災害、事故、山の遭難、痴漢、誘拐、重要物の宅配、紛失の防止、警備、医療、俳かい、水難、老人用、ペット保護の状況に有効である。
【図面の簡単な説明】
【図１】ＬＥＤライト付き護身用警報器の上面図である。
【図２】ＬＥＤライト付き護身用警報器の正面図である。
【図３】ＬＥＤライト付き護身用警報器の右側面図である。
【図４】ＬＥＤライト付き護身用警報器の左側面図である。
【図５】ＬＥＤライト付き護身用警報器のホイッスルを分離した図である。
【符号の説明】
１  係留用フック
２  ヒモ通し穴
３  作動スイッチ
４  電池出し入れ口
５  発信部
６  ＬＥＤスイッチ
７  ＬＥＤ発光部
８  ホイッスル接続部
９  ホイッスル吹き込み口
１０  ホイッスル発音部
【図１】
0003116975.tif 000003
【図２】
0003116975.tif 000004
【図３】
0003116975.tif 000005
【図４】
0003116975.tif 000006
【図５】
0003116975.tif 000007
【手続補正書】
【提出日】平成17年9月9日(2005.9.9)
【手続補正１】
【補正対象書類名】実用新案登録請求の範囲
【補正対象項目名】全文
【補正方法】変更
【補正の内容】
【実用新案登録請求の範囲】
【請求項１】
電源による小型携帯用ＬＥＤライト、警報装置、発信装置を備えた本体に取り外し式のホイッスルが組み込まれた一体型の携帯用警報器具。
【請求項２】
請求項１記載の一体型携帯用警報装置において、防水機能が施された一体型の携帯用警報装置。
(57)【要約】      （修正有）【課題】排尿及び排便が容易な水着を提供すること。【解決手段】本考案の水着は、ワンピース型の水着とツーピース型水着において、ファスナー３、及びファスナー１１を→の方向に移動開放することにより装着者が、その水着を脱ぐことなく、開放部及び開放部が開放されて排便、排尿を可能にする水着。手足の具合の悪い人も通常に着用出来又ファスナーを使うことにより，ファッション性をだした。【選択図】図１  
0003116972.tif 000002
【実用新案登録請求の範囲】
【請求項１】
ワンピース型水着において、大腿部から対面の腰部に向かってファスナーを取り付けることにより、排便、排尿を容易にしたワンピース型の水着。
【請求項２】
ツーピース型水着において、パンツ部の双方の大腿部を結ぶ逆U字型のファスナーを取り付けることにより、排便、排尿を容易にしたツーピース型の水着。
【考案の詳細な説明】
【技術分野】
【０００１】
本考案は、着装したまま排泄可能な水着に関するものである。
【背景技術】
【０００２】
従来、水着を着装した状態で排便、排尿をする場合、特に婦人の高齢者や身体の不自由な女性にとっては、極めて困難である場合が多かった。それは、それ自体伸縮性があり身体にフィットするように作られており、また、水を含むと身体との摩擦抵抗が大きくなるためである。
【０００３】
ワンピース型の水着を装着し、水着が一度水に濡れた後に用便をもようしたときは、片方の大腿部の水着を押し広げて用便を足していた(実新登録第３１０５５５８号など)が、伸縮性のある生地で作られた水着の場合は、無理をすれば出来ていたが、伸縮性のない生地の場合は、水着を脱いでしまわないと出来なかった。
【０００４】
また、上下に分かれるツーピース型水着においても、伸縮性の生地を使用したパンツの場合、パンツを引き下げるに当たっては、生地に水を含むと身体との摩擦抵抗が大きくなるため引き下げることが困難であり、パンツ部を全部脱いでしまって実施していた。
更に濡れた水着を再装着するには、なお一層大きな困難が伴っていた。
【０００５】
それを解決するため、ツーピース型水着やワンピース型水着(特開２００４−０４４０１４など)のさまざまな工夫をされた水着が開発出願されているが、いずれもその課題の解決の目的は達成されていない。
【０００６】
【特許文献１】特開２００４−０４４０１４
【特許文献２】実新登録第３１０５５５８号
【考案の開示】
【考案が解決しようとする課題】
【０００７】
本考案は上記のような状況に鑑みてなされたものであり、排尿及び排便が容易にできるワンピース型及びツーピース型の水着を提供する。
【課題を解決するための手段】
【０００８】
上記の課題を解決するため、本考案では、ワンピース型及びツーピース型の二種類の水着について説明する。
まず、ワンピース型水着について説明する。
本考案のワンピース型水着は、図４に示すように、水着の股間の片方の大腿部からファスナー１１を一直線に腰部まで取り付け、排便、排尿のときは、このファスナー１１を大腿部より腰部に向かって引き上げ、開放する。
【０００９】
次に本考案のツーピース型水着について説明する。
本考案のツーピース型水着は、図３に示すように、ツーピースのパンツ部分に、図３に示すように、パンツの前面に逆Ｕ字型にファスナー３を取り付け、排便、排尿のときは、片方の大腿部から他の大腿部の方向にファスナーを開いて用を足す。
【考案の効果】
【００１０】
本考案の水着を装着することにより、水泳の途中で用便、尿意をもようしたとき、ファスナー３又は１１を開放することにより、婦人の高齢者や身体の不自由な女性にとっても、極めて容易に排便、排尿ができる。
【００１１】
また、本考案の水着を装着することにより、水着を脱着するときに、ファスナー３又は１１を開放することにより、脱着が容易にできる。
【考案を実施するための最良の形態】
【００１２】
本考案の実施の形態について説明する。
まず、ワンピース型の水着の場合、図４に示すように、片方の大腿部より、腰部の方向に向かってファスナー１１を取り付ける、この場合、ファスナーの開放部は大腿部側を開放部とし、腰部は開放しない。
【００１３】
次にツーピース型の水着について説明する。
ツーピース型の水着の場合、図３に示すように、パンツ部の片方の大腿部より、他の大腿部に向かって、逆Ｕ字形にファスナーを取り付ける。この場合、ファスナー３の開放部はどちらの大腿部を開放してもよいが、開放部の反対側は開放しないようにする。
【００１４】
いずれの水着もファスナー３又は１１の片方を開放しないようにするのは、開放の生地が、水着本体から、脱落しないためである。
【実施例１】
【００１５】
本考案のワンピース型水着を装着し、ファスナー１１を図４に示す→の方向に引き上げ開放すると、図７に示すように開放部１０−１は開放されるため、排便、排尿が容易にできる。
【実施例２】
【００１６】
また、本考案のツーピース型水着を装着し、ファスナー３を図２で示す→の方向に開放すると、図６に示すように開放部２−１は開放されるため、排便、排尿が容易にできる。
【実施例３】
【００１７】
また、いずれの水着の場合も、片方の大腿部が開放できるため、脱着する場合、身体との触着部分が少なくなるため脱着が容易になる。
【図面の簡単な説明】
【００１８】
【図１】本考案のツーピース水着の斜視図
【図２】本考案のツーピース水着の正面図
【図３】本考案のツーピース水着のパンツ部の正面図
【図４】本考案のワンピース水着正面図
【図５】本考案のワンピース水着斜視図
【図６】本考案のツーピース水着の開放部を開放した斜視図
【図７】本考案のワンピース水着の開放部を開放した斜視図
【符号の説明】
【００１９】
１．ツーピースの上着
２．ツーピースのパンツ
２−1. 開放部
３．逆Ｕ字型ファスナー
４．ツーピース上着ファスナー
５．アクセントライン
６．パンツペルト部
１０．ワンピース型水着
１０−１．開放部
１１．ファスナー
１２．アクセントライン
【図１】
0003116972.tif 000003
【図２】
0003116972.tif 000004
【図３】
0003116972.tif 000005
【図４】
0003116972.tif 000006
【図５】
0003116972.tif 000007
【図６】
0003116972.tif 000008
【図７】
0003116972.tif 000009
【手続補正書】
【提出日】平成17年9月28日(2005.9.28)
【手続補正１】
【補正対象書類名】実用新案登録請求の範囲
【補正対象項目名】全文
【補正方法】変更
【補正の内容】
【実用新案登録請求の範囲】
【請求項１】
装着したまま排泄の出来る水着であって、水着のパンツ部の全面に必要に応じ局部の露出を可能とする開放部を設けたことを特徴とする水着。
【請求項２】
装着したまま排泄が出来る水着であって、パンツ部の前面に双方の大腿部を結ぶ逆Ｕ字型、あるいは、大腿部から腰部へ向かう直斜方向にファスナーを取り付けることにより、必要に応じ局部の露出を可能としたことを特徴とする水着。
(57)【要約】      （修正有）【課題】温風式身体加温装置において、温風の熱エネルギーを有効に身体に作用させることのできる手段を提供する。【解決手段】身体の一部を密閉できる容器１を作成し、この容器に空気流出用の多数の細孔２を開け、さらに空気流入口３を設けた。【選択図】図１
0003116995.tif 000002
【実用新案登録請求の範囲】
【請求項１】
身体の一部を密閉することのできる容器に多数の細孔を開け、この容器に空気流入口を設けた身体加温装置
【考案の詳細な説明】
【技術分野】
【０００１】  本考案は、身体を加温する装置に関する。
【背景技術】
【０００２】  従来の温風式身体加温装置は、多数の細孔を開けた袋で身体を覆い、その袋に加温した空気を流入させ、細孔から流出する温風により身体を加温するものである。
【考案の開示】
【考案が解決しようとする課題】
【０００３】  しかし、従来の温風式身体加温装置では、温風が身体の周囲から大気中に逃げるために、温風の熱エネルギーが身体に有効に作用しないことがある。この場合には十分な身体加温を行うことができない。
【課題を解決するための手段】
【０００４】  本考案の温風式身体加温装置では、四肢などの身体の一部を密閉できる容器を作成し、この容器に空気流出用の多数の細孔を開け、さらに空気流入口を設けた。
【考案の効果】
【０００５】  よって、四肢などの身体の一部をこの容器で密閉し、空気流入口を通じて容器の内部に持続的に加温した空気を流入させ、容器に多数開けてある細孔から流出させることにより、温風の熱エネルギーを密閉された身体の部分に有効に作用させることができる。身体の一部分の加温であっても、与えられた熱エネルギーが血流により全身に運ばれることにより十分な身体加温を行うことができるのである。また、容器自体に多数の空気流出用細孔を開けることにより、空気流出口を別に設ける必要がなくなり、簡便な構造とすることができる。
【考案を実施するための最良の形態】
【０００６】  図１において、身体の一部（下肢４）を密閉することのできる容器１に、空気流出用の多数の細孔２を開け、さらに空気流入口３を設け、持続的に加温した空気を容器１の内部に流入させる。容器１は、ボックス状のものでも袋状のものでもよい。
【図面の簡単な説明】
【０００７】
【図１】  本考案の密閉型温風式身体加温装置を下肢に用いた状態の断面図である。
【符号の説明】
【０００８】  １  身体の一部を密閉することができる容器
２  空気流出用細孔
３  空気流入口
４  下肢
【図１】
0003116995.tif 000003
(57)【要約】      （修正有）【課題】買い物カートのハンドル部分にネジなどの手間のかかる固定具を用いることなく「ワンタッチ」で装着でき、なおかつ動いたり脱落したりしないホルダを提供する。【解決手段】硬質プラスチックでできた切り欠き円筒形のホルダの弾性変形によって、買い物カートのハンドル部分を適度に締め付けて把持する。またホルダの変形を吸収し装備品に影響を及ぼさないために、ホルダと装備品の間にクッション材６を介在させる。【選択図】図２
0003116991.tif 000002
【実用新案登録請求の範囲】
【請求項１】
内径がカート構造材パイプ外形にほぼ等しい円筒を、円周角で１００度以上１３０度以内の全長にわたって切り欠いた把み部と、把み部の円筒芯と平行で把み部円周に重なって一体をなす台板と、台板の装備品当接面に所定厚で接着されたクッションから成ることを特徴とする、買い物カート用装備品ホルダ。
【請求項２】
請求項１記載のホルダのクッション面に電卓を貼り付けたことを特徴とする、買い物カート用ホルダ付き電卓。
【考案の詳細な説明】
【技術分野】
【０００１】  本考案は、ショッピングセンター等において買い物カートに、電卓、ナンバープレート等の装備品を簡便に取付けることができるホルダに関するものである。
【背景技術】
【０００２】  ショッピングセンターなどに多数設置されている買い物カートには、客用の電卓やカート識別用のナンバープレートなどの装備品を必要に応じて着脱する。このような用途に適したホルダーとして、カートのハンドルパイプを抱き締める形式の取付け具がある。（たとえば特許文献１および特許文献２）これらはいずれも取り付け取り外しに手間がかかる。ショッピングセンターには、１０００台単位の買い物カートを使用しており、これらの装備をいっせいに着脱しようとすると多大の人手を要する。【０００３】
【特許文献１】  実開平２−８２６６７
【特許文献２】  実開昭６２−７２２６６
【考案の開示】
【考案が解決しようとする課題】
【０００４】  装備品の着脱を簡便にしようとすると固定が不十分となり、使用中に動いたり脱落しやすい。一方固定を堅牢にしようとすると、特許文献１のようにネジで強固に締め付けるなど手間がかかる。
ネジなどの手間がかかる固定具を用いることなく「ワンタッチ」で着脱できるホルダを提供することが本考案の目的である。
【考案が解決するための手段】
【０００５】  内径が買い物カートのハンドル部分の外径にほぼ等しい円筒を、円周角で１００度以上１３０度以内の角度で、円筒の全長にわたって切り欠いて把み部とし、把み部の切り欠き反対側で円筒外径に台板を重ねて一体とする。台板の装備品を取り付ける側に、所定厚のクッションを貼り付ける。
【０００６】  上述のホルダのクッション面を電卓の背面に接着して、買い物カート用ホルダー付き電卓とする。
【考案の効果】
【０００７】  本考案の買い物カート用ホルダを使用すると、買い物カートのハンドル部分にネジなどの手間のかかる固定具を用いることなく「ワンタッチ」で装着できる。しかもホルダの材質と寸法を適切に選ぶことによって、通常の使用条件では簡単に脱落しない把持力を実現した。
【実施例】
【０００８】  以下図面に従って本考案の実施例を説明する。
図１は本考案のホルダおよび電卓をショッピングカートに装着した状況である。図において、１は買い物カート、２はホルダ、３は電卓である。電卓３を装着したホルダ２は買い物カート１のハンドルパイプ８にはめ込まれている。７は買い物カゴである。電卓の前後方向の取り付け位置は、買い物カート操作者の側に寄せてある。これによって電卓のキー操作が容易となり、かつ買い物カゴの出し入れに支障を生じない。【０００９】  図２は装備品である電卓を接着したホルダの詳細である。図２において、４はホルダの把み部、５はホルダの台板、６はクッションである。クッション６は台板５に強固に接着されている。４と５は一体の硬質プラスチックであり、内径はハンドルパイプ外径よりわずかに小さく、４と５の弾性変形によってパイプにはめ込むことができる構造としてある。４は円筒を角度Ａ（本実施例では１１０度）の範囲で全長にわたって切り欠いた形状である。Ｂは切り欠きＡによって形成される間隔である。切り欠きの間隔Ｂは２３ｍｍであり、ハンドルパイプ８の外径（２９〜３０ｍｍ）より十分に小さくしてある。【００１０】  図３はホルダをハンドルパイプにはめ込むときの状況である。Ｂはハンドルパイプによって押し広げられＢ２となり、ハンドルパイプがはまり込んだ後には元の形状に戻る。把み部の内径は２８ｍｍであり、ハンドルパイプの外径２９〜３０ｍｍよりも１〜２ｍｍ小さいので、把み部４の弾発力によって強くハンドルパイプを把持する。【００１１】  Ａの切り欠き角は、ホルダを実用的な材質・寸法で製作するには、１００度以上１３０度以内が好適である。Ａが１００度未満であると、ハンドルパイプに押し込むときに弾性限度を超える変形が生じるおそれがある。また１３０度を超えると引っ掛かりが弱くなり脱落しやすくなる。【００１２】  ホルダと装備品である電卓の間に介在するクッションは、ハンドルパイプにはめ込むとき、図３に示すように把み部と台板が一体となって変形を容易にすることによって切り欠き部の開閉範囲を広げている。同時に電卓に変形を及ぼさない役割も果たしている。クッションの厚さは３ｍｍの高密度スポンジゴムである。【００１３】  ホルダとハンドルパイプの固着は、把み部の弾発力にもとずく摩擦力によっている。使用条件によっては、ハンドルパイプ上でホルダが回動することがあり得る。更に強固に固着してこの回動も防止するには、装着に際してハンドルパイプと把み部の間に適切な接着剤を介在させるとよい。接着したものを取り外すときは、切り欠き部の先端をこじ開けると簡単に接着を剥離させることができる。【００１４】  本実施例では装備品として電卓を取付ける構造を説明したが、本考案では他の装備品たとえばカート識別用のナンバープレートにも適用できる。また、ホルダの材質・寸法については装備品の種類や求められる把持強度に応じて適宜選択できる。
【図面の簡単な説明】
【００１５】
【図１】本考案のホルダーを買い物カートに装着時の側面図である。
【図２】本買い物カート用装備品ホルダー及び電卓の詳細図である。
【図３】本買い物カート用装備品ホルダー及び電卓の着脱時の状況である。
【符号の説明】
【００１４】１  買い物カート
２  ホルダ
３  電卓
４  把み部
５  台板
６  クッション
７  買い物カゴ
８  買い物カートハンドル部分
Ａ  切り欠き角
Ｂ  切り欠き幅
Ｂ２  押し広げられた切り欠き幅
【図１】
0003116991.tif 000003
【図２】
0003116991.tif 000004
【図３】
0003116991.tif 000005